(57)【要約】【課題】ＩｏＴデバイスにベルを用いることで特定の情報を発信したり、相互に情報通信可能な情報伝達システムの提供を目的とする。【解決手段】ベルと、前記ベルを作動させるための作動手段と、前記作動手段にてベルを作動させた操作情報を解析するための演算手段と、前記演算手段にて解析された操作情報の記憶部とを有し、操作者がベルを鳴らすと、前記記憶部に記録されていた操作情報の中から当該操作者と一致する操作者情報を判定し、その判定された操作者情報の発信手段を有することを特徴とする。【選択図】  図１
2020144742.tif 000002
【特許請求の範囲】
【請求項１】
ベルと、前記ベルを作動させるための作動手段と、前記作動手段にてベルを作動させた操作情報を解析するための演算手段と、前記演算手段にて解析された操作情報の記憶部とを有し、
操作者がベルを鳴らすと、前記記憶部に記録されていた操作情報の中から当該操作者と一致する操作者情報を判定し、その判定された操作者情報の発信手段を有することを特徴とするベルを用いた情報伝達システム。
【請求項２】
前記ベルを作動させた操作情報にはベルの操作者のフォト情報が含まれていることを特徴とする請求項１記載のベルを用いた情報伝達システム。
【請求項３】
前記発信手段にて発信された操作者情報は携帯端末にて受信可能であることを特徴とする請求項１及び２記載のベルを用いた情報伝達システム。
【請求項４】
前記ベルは複数のベルから構成され、前記複数のベルが通信手段にて相互に接続されていることを特徴とする請求項１〜３のいずれかに記載のベルを用いた情報伝達システム。
【発明の詳細な説明】
【技術分野】
【０００１】
本発明は、ＩｏＴデバイスにベルを用いた情報伝達システムに関する。
【背景技術】
【０００２】
従来のベルは、鳴らして楽しむものであったり、ドアベルや警報ベル等、単に鳴ったことを人に知らせるためのものであった。
特許文献１には、携帯機との無線操作により、自己車両が発見できるようにルームランプで報知する技術を開示するが、ベルを用いた情報伝達ではない。
【先行技術文献】
【特許文献】
【０００３】
【特許文献１】日本国特開平１０−２２７８５２号公報
【発明の開示】
【発明が解決しようとする課題】
【０００４】
本発明は、ＩｏＴデバイスにベルを用いることで特定の情報を発信したり、相互に情報通信可能な情報伝達システムの提供を目的とする。
【課題を解決するための手段】
【０００５】
本発明に係るベルを用いた情報伝達システムは、ベルと、前記ベルを作動させるための作動手段と、前記作動手段にてベルを作動させた操作情報を解析するための演算手段と、前記演算手段にて解析された操作情報の記憶部とを有し、操作者がベルを鳴らすと、前記記憶部に記録されていた操作情報の中から当該操作者と一致する操作者情報を判定し、その判定された操作者情報の発信手段を有することを特徴とする。
ここで、ベルを作動させた操作情報にはベルの操作者のフォト情報が含まれているのが好ましく、発信手段にて発信された操作者情報は携帯端末にて受信可能であってもよい。
ベルを操作する者には、両親，子供等により、その操作にいわゆるクセがある。
また、ベルをドアベルやホテル等のカウンターベルとして用いると、上記演算手段にて解析された操作情報に基づいて、これまでに訪問したことがある者か否かが判断でき、新たな訪問者である場合には、その情報が解析され、ＩＤ情報やフォト情報等と共に記憶される。【０００６】
本発明において、複数のベルから構成され、前記複数のベルが通信手段にて相互に接続されているのが好ましい。
ある操作者がベルを鳴らすと、解析された操作情報に基づいて情報伝達すべき相手側のベルを検出する検出手段を有することで、情報を特定の相手に情報として伝達することもできる。
また、情報伝達すべき所有者のベルの入力手段を有していてもよい。
この場合に、ベルが鳴る音の周波数分析等による音の解析システムを有していてもよい。
このようにすると、音の解析システムにてノイズをフィルタリングし、ベルの誤作動等を防止する。
また、ベルには、各種センサー機能を設けてもよい。
例えば、ベルを打撃部材や指等で叩くと、その音や振動をセンサーにて検知し、それを操作者の情報として取り込むこともできる。
また、ベルを手動式で鳴らす場合には、操作者の情報をカメラセンサー等にて検知し、フォト情報として発信や情報伝達に用いることができる。【０００７】
本発明において、通信手段はインターネット等を経由して、クラウド上のサーバーと直接通信するものや、携帯電話等の基地局を介してサーバーと通信接続してもよい。
費用を抑え、より多くのベルとの接続が容易な点では、Ｗｉ−Ｆｉ，Ｂｌｕｅｔｏｏｔｈ（登録商標），９２０ＭＨｚ帯無線，ＺｉｇＢｅｅ等のＩｏＴゲートウェイを介するのが好ましい。
また、さらにルーターを用いてネットワークを構築してもよい。
なお、比較的狭いエリアにおいては、ＩｏＴゲートウェイ間での相互通信も可能である。
また、通信手段は有線，無線を問わない。【０００８】
携帯端末には、各種アプリケーションソフト（アプリ）を組み込むことができる。
例えば、ある１つのベルの操作状況をアプリを介して閲覧することができる。
また、アプリを操作することで、ある１つのベルから他のベルに情報を流すこともできる。【０００９】
本発明において、複数のベルを有していると家族間や知人等の間にて、そのベルの操作者の情報が相互に通信される。
【発明の効果】
【００１０】
本発明に係るベルを用いた情報伝達システムは、ベルを介してその情報を伝達することができるので、従来のパソコン操作が必要なシステムと比較して、操作が簡単である。
ベルを用いた情報伝達は、いろいろな場面を想定することができる。
例えば、ホテルのカウンターやドアベルとして使用した場合に、ベルを鳴らした者の用件等を情報として発信することができる。
【図面の簡単な説明】
【００１１】
【図１】本発明に係る情報伝達システムの構成例を示し、（ａ）はベルを鳴らした情報を発信する例、（ｂ）は他の情報を受けてベルが鳴る場合を示す。
【図２】ベルの内部に制御部を設けた例を示す。
【図３】（ａ）は基地局を介してネットワークを形成した例を示し、（ｂ）はＩｏＴゲートウェイを介してネットワークを形成した例を示す。
【図４】複数のベルをＩｏＴゲートウェイを介してネットワークを形成した例を示す。
【図５】（ａ）はカウンターベルを用いた例を示し、（ｂ）はカウンターベルの構造例を示す。
【符号の説明】
【００１２】
１Ａ      ベル
１Ｂ      ベル
２        制御部
２ａ      センサー
３        電子加振子
４        送受信機
５        カウンターベル
６        打撃部
１０      通信網
１１      基地局
１２      ゲートウェイ
１３      通信端末
【発明を実施するための最良の形態】
【００１３】
本発明に係るベルを用いた情報伝達システムの構成例を、以下図に基づいて説明する。
図１は、（ａ）に示したベルと、（ｂ）に示したベルとの情報伝達例を示し、２つのベルをネットワークにて接続した例を示すが、ベルの数に制限がなく、多くのベルをネットワークを介して接続することができる。
制御部２は、図１に示すようにベルの外側でも、図２に示すようにベルの内部に設けてもよい。
また、制御部２には、各種のセンサー２ａを有していてもよい。
例えば、ベルを手動で鳴らした際の音や、振動を検知するためのセンサー、操作した者のフォト情報を検知するためのカメラセンサー等が例として挙げられる。
このベルは、ベース部１ｂの上にベル本体部１ａを有し、ベルを電気的に鳴らす電子加振子３と、基地局１１やゲートウェイ１２との送受信機４を備えている。
ネットワークの構築方法としては、図３（ａ）に示すように基地局１１を介してサーバー、あるいはクラウド上の通信網１０とネットワークを形成してもよく、図４に示すように各種無線方式のゲートウェイ１２を介して、ネットワークを構築してもよい。
図３（ｂ）は、それらを組み合せた例を示す。【００１４】
制御部２には、操作者が図示を省略したが、打撃部材や打撃操作ボタン等にてベルを打ち鳴らすと、この操作者の操作情報を解析するための演算手段と、この演算手段にて解析された色々な情報を記録する記憶部を有している。
この記憶部には、例えば高齢者となった両親や、その家族のベルの鳴らし方の色々な特徴が記録されている。
また、記憶部には、その鳴らし方とともに、名前や年齢等のＩＤ情報やフォト情報が含まれていてもよい。
ある操作者がベル１を鳴らすと、そのベルの手動での鳴らし方を演算手段にて解析し、それに基づいて記憶部に記録されている者の中から、一致するものの判定を行う判定手段を有している。
ここで、操作者が判定されると、その情報を伝達すべき者、例えば親がベルを鳴らすと、その子供が有している他のベルが鳴るように送受信器４が作動したり、あるいは図３に示した通信システムを経由して子供が所有している通信端末１３にその操作情報が発信される。
また、ベルをドアベル等として用いた場合には、操作した訪問者を判定し、その情報を室内の表示パネルに表示したり、室内のベルが鳴るようにしてもよい。【００１５】
本発明において、図３（ａ）に示すように一方のベル１Ａを鳴らすと、通信ネットワークを介して図１（ｂ）に示すように、ベル１Ａの操作者の判定に基づいて他のベル１Ｂが鳴るようになっている。
また、逆にベル１Ｂを鳴らすと、ベル１Ａが鳴るようになっており、ベルを介して相互通信が可能である。
ネットワークは、例えばスマートフォン，タブレット等の通信端末（携帯端末）１３とつながっている。
これにより、ベル１Ａの操作状況をアプリを介して知ることができ、ベル１Ｂを鳴らす操作も可能である。
ベルは、図５に示すようにカウンターベル５のように、例えば自転車等の移動体に取り付けることも可能である。
カウンターベル５には、操作部６ａを指で押し込み操作し、指を離すと打撃部６の復帰でベルが鳴る手動操作手段と、外部から遠隔操作できるように内部に打撃装置７等の電子的操作手段を設けてある。
これにより、移動体の移動中に情報伝達が可能で有り、また移動体の所在場所を知ることもできる。
【産業上の利用可能性】
【００１６】
本発明は、ＩｏＴデバイスにベルを用いたものであり、ベルの操作により各種の情報伝達を行うためのシステムを構築できる。
【図１】
2020144742.tif 000003
【図２】
2020144742.tif 000004
【図３】
2020144742.tif 000005
【図４】
2020144742.tif 000006
【図５】
2020144742.tif 000007
【国際調査報告】
2020144742.tif 000008
2020144742.tif 000009